(57)【要約】【課題】併設される遊技機がＣＲ機又は現金機のいずれの場合であっても、効率的かつ適正に対応する遊技媒体貸出装置を提供することを課題とする。【解決手段】メダル貸し機１０の背面に設けられるＣＲ機接続用コネクタ部１８及び認識用コネクタ部１９に現金機設定部材４０が装着された場合に、現金機設定部材検出部１７がループ電流の形成状態を確認してＣＲ機接続用コネクタ部１８に現金機設定部材４０が装着された事実を検知して本体制御部１１にその結果を通知し、本体制御部１１では、かかる場合にＣＲ機３０との間の接続がなされていないものと判定して現金機対応のメダル貸出処理制御を行う。【選択図】        図４
2007195951.tif 000002
【特許請求の範囲】
【請求項１】
遊技媒体貸出指示に応答して遊技機内部から遊技媒体を投出する第１の遊技機若しくは遊技媒体の貸出処理に関与しない第２の遊技機のいずれかに併設され、遊技客による遊技媒体貸出操作に応答して遊技媒体の貸出処理を行う遊技媒体貸出装置であって、
前記第１の遊技機と接続状態にあるか否かを判定する接続状態判定手段と、
前記接続状態判定手段により前記第１の遊技機と接続状態にあると判定された場合には、前記第１の遊技機対応の遊技媒体の貸出処理を行い、前記接続状態判定手段により前記第１の遊技機と非接続状態にあると判定された場合には前記第２の遊技機対応の遊技媒体の貸出処理を行うよう制御する制御手段と
を備えたことを特徴とする遊技媒体貸出装置。
【請求項２】
前記制御手段は、遊技客による遊技媒体貸出操作を受け付けた際に、前記接続状態判定手段により前記第１の遊技機と接続状態にあると判定された場合には、前記第１の遊技機に対して前記遊技媒体貸出指示を行うよう制御することを特徴とする請求項１に記載の遊技媒体貸出装置。
【請求項３】
前記制御手段は、遊技客による遊技媒体貸出操作を受け付けた際に、前記接続状態判定手段により前記第１の遊技機と非接続状態にあると判定された場合には、前記第２の遊技機に対して前記遊技媒体を直接投出するよう制御することを特徴とする請求項１に記載の遊技媒体貸出装置。
【請求項４】
前記接続状態判定手段は、前記第１の遊技機との通信接続用コネクタ部に対して所定の非接続用コネクタが装着されている場合には前記第１の遊技機と非接続状態にあると判定し、該非接続用コネクタが装着されていない場合には前記第１の遊技機と接続状態にあると判定することを特徴とする請求項１、２又は３に記載の遊技媒体貸出装置。
【請求項５】
自己給電により機能する本体部と、該本体部から絶縁され前記通信接続用コネクタ部を介して前記第１の遊技機から電力供給を受けて機能する第１の遊技機用インターフェース部とを備え、
前記接続状態判定手段は、前記本体部に設けられた接続確認用コネクタ部に装着された接続確認用コネクタ、該接続確認用コネクタと接続された非接続用コネクタ及び前記第１の遊技機用インターフェース部の間の折り返し導通試験を通じて前記通信接続用コネクタ部に対して前記非接続用コネクタが装着されているか否かを判定することを特徴とする請求項４に記載の遊技媒体貸出装置。
【請求項６】
前記非接続用コネクタは、前記通信接続用コネクタ部に装着された際に、該通信接続用コネクタ部の近傍で、かつ、前記第１の遊技機との通信接続用コネクタによっては押下されない位置に配設された接続検知スイッチを押下する形状を有し、
前記接続状態判定手段は、前記接続検知スイッチが押下された場合には前記非接続用コネクタが装着されていると判定し、前記接続検知スイッチが押下されない場合には前記非接続用コネクタが装着されていないと判定することを特徴とする請求項４に記載の遊技媒体貸出装置。
【請求項７】
前記接続状態判定手段は、前記通信接続用コネクタ部のフレーム部と前記非接続用コネクタのフレーム部とが接合した場合に通電するフレーム信号線の導通状況に基づいて、前記通信接続用コネクタ部に対して前記非接続用コネクタが装着されているか否かを判定することを特徴とする請求項４に記載の遊技媒体貸出装置。
【請求項８】
自己給電により機能する本体部と、該本体部から絶縁され前記通信接続用コネクタ部を介して前記第１の遊技機から電力供給を受けて機能する第１の遊技機用インターフェース部とを備え、
前記接続状態判定手段は、前記第１の遊技機を除く所定の給電装置からの電力供給に応答して第１の遊技機用インターフェース部が動作可能な場合には、前記通信接続用コネクタ部に対して前記非接続用コネクタが装着されていると判定することを特徴とする請求項４に記載の遊技媒体貸出装置。
【請求項９】
前記接続状態判定手段は、前記本体部に設けられた接続確認用コネクタ部、該接続確認用コネクタ部に装着された接続確認用コネクタ、該接続確認用コネクタに接続された前記非接続用コネクタ、該非接続用コネクタが接合された前記通信接続用コネクタ部をそれぞれ介して電力を前記第１の遊技機用インターフェース部に供給し、前記接続確認用コネクタ部からの電力供給に応答して第１の遊技機用インターフェース部が動作可能な場合には、前記通信接続用コネクタ部に対して前記非接続用コネクタが装着されていると判定することを特徴とする請求項８に記載の遊技媒体貸出装置。
【請求項１０】
前記接続状態判定手段は、前記遊技媒体貸出装置の群に対して配設される島コントローラ、または、当該遊技媒体貸出装置に併設される紙幣識別機からの電力供給に応答して第１の遊技機用インターフェース部が動作可能な場合には、前記通信接続用コネクタ部に対して前記非接続用コネクタが装着されていると判定することを特徴とする請求項８に記載の遊技媒体貸出装置。
【請求項１１】
前記本体部は、当該本体部から所定の外部装置に電力供給線を介して電力を供給するものであり、
前記電力供給線は、前記所定の外部装置に電力を供給するための第１の電力供給線と、前記所定の外部装置以外の他の装置に電力を供給するための第２の電力供給線とに分岐されるものであって、
前記接続状態判定手段は、前記第２の電力供給線の端部に設けられた電源用コネクタ部、該電源用コネクタ部に装着された電源用コネクタ、該電源用コネクタに接続された前記非接続用コネクタ、該非接続用コネクタが接合された前記通信接続用コネクタ部をそれぞれ介して電力を前記第１の遊技機用インターフェース部に供給し、前記電源用コネクタ部からの電力供給に応答して第１の遊技機用インターフェース部が動作可能な場合には、前記通信接続用コネクタ部に対して前記非接続用コネクタが装着されていると判定することを特徴とする請求項８に記載の遊技媒体貸出装置。
【請求項１２】
前記非接続用コネクタには、当該非接続用コネクタに入力された信号をそのまま出力する信号線が配設され、
前記接続状態判定手段は、前記所定の給電装置から前記第１の遊技機用インターフェース部に電力が供給された場合に、前記通信接続用コネクタ部から前記非接続用コネクタに信号を出力し、該出力した信号が前記非接続用コネクタからそのまま入力されたならば、前記通信接続用コネクタ部に対して前記非接続用コネクタが装着されていると判定することを特徴とする請求項８〜１１のいずれか一つに記載の遊技媒体貸出装置。
【請求項１３】
前記非接続用コネクタには、当該非接続用コネクタに入力された信号に応じて応答信号を該非接続用コネクタから出力する回路が接続され、
前記接続状態判定手段は、前記所定の給電装置から前記第１の遊技機用インターフェース部に電力が供給された場合に、前記通信接続用コネクタ部から前記非接続用コネクタに信号を出力し、該出力した信号に応じて前記応答信号が前記非接続用コネクタから入力されたならば、前記通信接続用コネクタ部に対して前記非接続用コネクタが装着されていると判定することを特徴とする請求項８〜１１のいずれか一つに記載の遊技媒体貸出装置。
【請求項１４】
前記非接続用コネクタには、前記所定の給電装置から電力が供給された場合に当該非接続用コネクタから信号を出力する回路が接続され、
前記接続状態判定手段は、前記所定の給電装置から前記第１の遊技機用インターフェース部に電力が供給された場合に、前記非接続用コネクタから信号が入力されたならば、前記通信接続用コネクタ部に対して前記非接続用コネクタが装着されていると判定することを特徴とする請求項８〜１１のいずれか一つに記載の遊技媒体貸出装置。
【請求項１５】
前記接続状態判定手段は、前記第１の遊技機との通信接続用のコネクタ部に対して所定の接続用コネクタが装着されている場合には前記第１の遊技機と接続状態にあると判定し、該接続用コネクタが装着されていない場合には前記第１の遊技機と非接続状態にあると判定することを特徴とする請求項１、２又は３に記載の遊技媒体貸出装置。
【発明の詳細な説明】
【技術分野】
【０００１】
本発明は、遊技媒体貸出指示に応答して遊技機内部から遊技媒体を投出する第１の遊技機（以下「ＣＲ機」と言う）若しくは遊技媒体の貸出処理に関与しない第２の遊技機（以下「現金機」と言う）のいずれかに併設され、遊技客による遊技媒体貸出操作に応答して遊技媒体の貸出処理を行う遊技媒体貸出装置に関し、特に、併設される遊技機がＣＲ機又は現金機のいずれの場合であっても、効率的かつ適正に対応することができる遊技媒体貸出装置に関する。
【背景技術】
【０００２】
従来、遊技店内に設置されるパチンコ機やパチスロ機等の遊技機には、パチンコ玉又はメダル等の遊技媒体を貸し出すための台間機と呼ばれる遊技媒体貸出装置が併設されることが多い。
【０００３】
ここで、上記遊技機の中には、（１）遊技客により台間機上で遊技媒体の貸出操作がなされた際に、この台間機から貸出指示を受け付けて遊技機内部に設けられた遊技媒体投出機構を通じて遊技媒体を払い出すいわゆるＣＲ機と、（２）遊技媒体の貸出操作に何等関与せず、台間機から払い出された遊技媒体を受け皿に受け入れるいわゆる現金機とが存在する。このため、遊技店では、各ＣＲ機にはＣＲ機対応型の台間機が併設され、各現金機には現金機対応型の台間機が併設されることになる。
【０００４】
ところで、遊技店から見た場合に、ＣＲ機対応型の台間機と現金機対応型の台間機とが全く別物であるとすると、遊技機の種別がＣＲ機から現金機に変えられた場合に台間機についても交換せねばならず効率的ではない。
【０００５】
このため、台間機本体を共用化してユニットのみを変更することによりＣＲ機対応型又は現金機対応型にすることが可能な従来技術が提案されている。例えば、特許文献１には、遊技機が現金機である場合には、遊技媒体投出部を有するユニットを台間機に装着してこのユニットからノズルを介して遊技媒体を現金機の受け皿に直接投出する仕様とし、遊技機がＣＲ機である場合には、ＣＲ機との通信機能を有するユニットを台間機に装着してこのユニットからＣＲ機に遊技媒体投出信号を送信してＣＲ機内部から遊技媒体を投出する仕様とした遊技媒体貸出装置が開示されている。
【０００６】
【特許文献１】特開２０００−３２５６４３号公報
【発明の開示】
【発明が解決しようとする課題】
【０００７】
しかしながら、この特許文献１によれば、依然として専門業者によるユニット交換という作業が生ずるので、遊技機の設置態様の変更に円滑に対応することができないという問題がある。
【０００８】
このことから、ＣＲ機との接続インターフェースを固定的に台間機に持たせておき、スイッチ切替により現金機対応型又はＣＲ機対応型のいずれにも対応可能にすることも考えられる。
【０００９】
ところが、この場合には、台間機がＣＲ機と接続された状態であったとしてもスイッチ切替により現金機対応型として機能させることが可能になるので、スイッチの設定ミス等により本来ＣＲ機対応型として運用すべきところを誤って現金機対応型として運用されてしまうおそれがある。加えて、遊技店に設置される遊技機及び台間機は、その性質上厳格さが要求されており、台間機がＣＲ機に接続されているにも係わらずスイッチ切替により現金機対応型として運用されるという遊技客に錯誤を招く運用を認めるべきではない。
【００１０】
このため、併設される遊技機がＣＲ機又は現金機のいずれの場合であっても、効率的かつ適正に対応することができる台間機をいかに実現するかが極めて重要な課題となっている。
【００１１】
この発明は、上記課題（問題点）に鑑みてなされたものであり、併設される遊技機がＣＲ機又は現金機のいずれの場合であっても、効率的かつ適正に対応することができる遊技媒体貸出装置を提供することを目的とする。
【課題を解決するための手段】
【００１２】
上述した課題を解決するため、本発明は、遊技媒体貸出指示に応答して遊技機内部から遊技媒体を投出する第１の遊技機若しくは遊技媒体の貸出処理に関与しない第２の遊技機のいずれかに併設され、遊技客による遊技媒体貸出操作に応答して遊技媒体の貸出処理を行う遊技媒体貸出装置であって、前記第１の遊技機と接続状態にあるか否かを判定する接続状態判定手段と、前記接続状態判定手段により前記第１の遊技機と接続状態にあると判定された場合には、前記第１の遊技機対応の遊技媒体の貸出処理を行い、前記接続状態判定手段により前記第１の遊技機と非接続状態にあると判定された場合には前記第２の遊技機対応の遊技媒体の貸出処理を行うよう制御する制御手段とを備えたことを特徴とする。
【００１３】
また、本発明は、上記発明において、前記制御手段は、遊技客による遊技媒体貸出操作を受け付けた際に、前記接続状態判定手段により前記第１の遊技機と接続状態にあると判定された場合には、前記第１の遊技機に対して前記遊技媒体貸出指示を行うよう制御することを特徴とする。
【００１４】
また、本発明は、上記発明において、前記制御手段は、遊技客による遊技媒体貸出操作を受け付けた際に、前記接続状態判定手段により前記第１の遊技機と非接続状態にあると判定された場合には、前記第２の遊技機に対して前記遊技媒体を直接投出するよう制御することを特徴とする。
【００１５】
また、本発明は、上記発明において、前記接続状態判定手段は、前記第１の遊技機との通信接続用コネクタ部に対して所定の非接続用コネクタが装着されている場合には前記第１の遊技機と非接続状態にあると判定し、該非接続用コネクタが装着されていない場合には前記第１の遊技機と接続状態にあると判定することを特徴とする。
【００１６】
また、本発明は、上記発明において、自己給電により機能する本体部と、該本体部から絶縁され前記通信接続用コネクタ部を介して前記第１の遊技機から電力供給を受けて機能する第１の遊技機用インターフェース部とを備え、前記接続状態判定手段は、前記本体部に設けられた接続確認用コネクタ部に装着された接続確認用コネクタ、該接続確認用コネクタと接続された非接続用コネクタ及び前記第１の遊技機用インターフェース部の間の折り返し導通試験を通じて前記通信接続用コネクタ部に対して前記非接続用コネクタが装着されているか否かを判定することを特徴とする。
【００１７】
また、本発明は、上記発明において、前記非接続用コネクタは、前記通信接続用コネクタ部に装着された際に、該通信接続用コネクタ部の近傍で、かつ、前記第１の遊技機との通信接続用コネクタによっては押下されない位置に配設された接続検知スイッチを押下する形状を有し、前記接続状態判定手段は、前記接続検知スイッチが押下された場合には前記非接続用コネクタが装着されていると判定し、前記接続検知スイッチが押下されない場合には前記非接続用コネクタが装着されていないと判定することを特徴とする。
【００１８】
また、本発明は、上記発明において、前記接続状態判定手段は、前記通信接続用コネクタ部のフレーム部と前記非接続用コネクタのフレーム部とが接合した場合に通電するフレーム信号線の導通状況に基づいて、前記通信接続用コネクタ部に対して前記非接続用コネクタが装着されているか否かを判定することを特徴とする。
【００１９】
また、本発明は、上記発明において、自己給電により機能する本体部と、該本体部から絶縁され前記通信接続用コネクタ部を介して前記第１の遊技機から電力供給を受けて機能する第１の遊技機用インターフェース部とを備え、前記接続状態判定手段は、前記第１の遊技機を除く所定の給電装置からの電力供給に応答して第１の遊技機用インターフェース部が動作可能な場合には、前記通信接続用コネクタ部に対して前記非接続用コネクタが装着されていると判定することを特徴とする。
【００２０】
また、本発明は、上記発明において、前記接続状態判定手段は、前記本体部に設けられた接続確認用コネクタ部、該接続確認用コネクタ部に装着された接続確認用コネクタ、該接続確認用コネクタに接続された前記非接続用コネクタ、該非接続用コネクタが接合された前記通信接続用コネクタ部をそれぞれ介して電力を前記第１の遊技機用インターフェース部に供給し、前記接続確認用コネクタ部からの電力供給に応答して第１の遊技機用インターフェース部が動作可能な場合には、前記通信接続用コネクタ部に対して前記非接続用コネクタが装着されていると判定することを特徴とする。
【００２１】
また、本発明は、上記発明において、前記接続状態判定手段は、前記遊技媒体貸出装置の群に対して配設される島コントローラ、または、当該遊技媒体貸出装置に併設される紙幣識別機からの電力供給に応答して第１の遊技機用インターフェース部が動作可能な場合には、前記通信接続用コネクタ部に対して前記非接続用コネクタが装着されていると判定することを特徴とする。
【００２２】
また、本発明は、上記発明において、前記本体部は、当該本体部から所定の外部装置に電力供給線を介して電力を供給するものであり、前記電力供給線は、前記所定の外部装置に電力を供給するための第１の電力供給線と、前記所定の外部装置以外の他の装置に電力を供給するための第２の電力供給線とに分岐されるものであって、前記接続状態判定手段は、前記第２の電力供給線の端部に設けられた電源用コネクタ部、該電源用コネクタ部に装着された電源用コネクタ、該電源用コネクタに接続された前記非接続用コネクタ、該非接続用コネクタが接合された前記通信接続用コネクタ部をそれぞれ介して電力を前記第１の遊技機用インターフェース部に供給し、前記電源用コネクタ部からの電力供給に応答して第１の遊技機用インターフェース部が動作可能な場合には、前記通信接続用コネクタ部に対して前記非接続用コネクタが装着されていると判定することを特徴とする。
【００２３】
また、本発明は、上記発明において、前記非接続用コネクタには、当該非接続用コネクタに入力された信号をそのまま出力する信号線が配設され、前記接続状態判定手段は、前記所定の給電装置から前記第１の遊技機用インターフェース部に電力が供給された場合に、前記通信接続用コネクタ部から前記非接続用コネクタに信号を出力し、該出力した信号が前記非接続用コネクタからそのまま入力されたならば、前記通信接続用コネクタ部に対して前記非接続用コネクタが装着されていると判定することを特徴とする。
【００２４】
また、本発明は、上記発明において、前記非接続用コネクタには、当該非接続用コネクタに入力された信号に応じて応答信号を該非接続用コネクタから出力する回路が接続され、前記接続状態判定手段は、前記所定の給電装置から前記第１の遊技機用インターフェース部に電力が供給された場合に、前記通信接続用コネクタ部から前記非接続用コネクタに信号を出力し、該出力した信号に応じて前記応答信号が前記非接続用コネクタから入力されたならば、前記通信接続用コネクタ部に対して前記非接続用コネクタが装着されていると判定することを特徴とする。
【００２５】
また、本発明は、上記発明において、前記非接続用コネクタには、前記所定の給電装置から電力が供給された場合に当該非接続用コネクタから信号を出力する回路が接続され、前記接続状態判定手段は、前記所定の給電装置から前記第１の遊技機用インターフェース部に電力が供給された場合に、前記非接続用コネクタから信号が入力されたならば、前記通信接続用コネクタ部に対して前記非接続用コネクタが装着されていると判定することを特徴とする。
【００２６】
また、本発明は、上記発明において、前記接続状態判定手段は、前記第１の遊技機との通信接続用のコネクタ部に対して所定の接続用コネクタが装着されている場合には前記第１の遊技機と接続状態にあると判定し、該接続用コネクタが装着されていない場合には前記第１の遊技機と非接続状態にあると判定することを特徴とする。
【発明の効果】
【００２７】
本発明によれば、遊技媒体貸出指示に応答して遊技機内部から遊技媒体を投出する第１の遊技機と接続状態にあるか否かを判定し、この第１の遊技機と接続状態にあると判定された場合には、第１の遊技機対応の遊技媒体の貸出処理を行い、第１の遊技機と非接続状態にあると判定された場合には第２の遊技機対応の遊技媒体の貸出処理制御するよう構成したので、併設される遊技機が第１の遊技機又は第２の遊技機のいずれの場合であっても、効率的かつ適正に対応することができる。特に、第１の遊技機から第２の遊技機に配置換えされたような場合であっても遊技媒体貸出装置は変更することが不要であるとともに、第１の遊技機に接続されているにも係わらず第２の遊技機対応の貸出処理を行う状況を防止することができる。
【００２８】
また、本発明によれば、遊技客による遊技媒体貸出操作を受け付けた際に、第１の遊技機と接続状態にあると判定された場合には、第１の遊技機に対して遊技媒体貸出指示を行うよう構成したので、いわゆるＣＲ機のように遊技媒体を内部投出する第１の遊技機に併設された場合には、この第１の遊技機と接続されている場合にのみ遊技媒体投出指示を行うことができる。
【００２９】
また、本発明によれば、遊技客による遊技媒体貸出操作を受け付けた際に、第１の遊技機と非接続状態にあると判定された場合には、第２の遊技機に対して遊技媒体を直接投出するよう構成したので、いわゆる現金機のような第２の遊技機に併設されている場合には、遊技媒体を直接第２の遊技機の受け皿等に投出することができる。
【００３０】
また、本発明によれば、第１の遊技機との通信接続用コネクタ部に対して所定の非接続用コネクタが装着されている場合には第１の遊技機と非接続状態にあると判定し、該非接続用コネクタが装着されていない場合には第１の遊技機と接続状態にあると判定するよう構成したので、非接続用コネクタの存在により、第１の遊技機に接続されているにも係わらず第２の遊技機対応の動作を行わせようとする事態を未然に防止することができる。
【００３１】
また、本発明によれば、自己給電により機能する本体部に設けられた接続確認用コネクタ部に装着された接続確認用コネクタ、該接続確認用コネクタと接続された非接続用コネクタ及び該本体部から絶縁され前記通信接続用コネクタ部を介して第１の遊技機から電力供給を受けて機能する第１の遊技機用インターフェース部の間の折り返し導通試験を通じて通信接続用コネクタ部に対して非接続用コネクタが装着されているか否かを判定するよう構成したので、実際に非接続用コネクタが装着されている事実を折り返し導通試験を通じて正確に検知することができる。
【００３２】
また、本発明によれば、非接続用コネクタが、通信接続用コネクタ部に装着された際に、該通信接続用コネクタ部の近傍で、かつ、第１の遊技機との通信接続用コネクタによっては押下されない位置に配設された接続検知スイッチを押下する形状を有し、接続検知スイッチが押下された場合には非接続用コネクタが装着されていると判定し、接続検知スイッチが押下されない場合には非接続用コネクタが装着されていないと判定するよう構成したので、非接続用コネクタの形状を利用してこの非接続用コネクタが存在するか否かを正確かつ効率良く検知することができる。
【００３３】
また、本発明によれば、通信接続用コネクタ部のフレーム部と非接続用コネクタのフレーム部とが接合した場合に通電するフレーム信号線の導通状況に基づいて、通信接続用コネクタ部に対して非接続用コネクタが装着されているか否かを判定するよう構成したので、コネクタのフレーム部を利用して非接続用コネクタが存在するか否かを正確に検知することができる。
【００３４】
また、本発明によれば、第１の遊技機を除く所定の給電装置からの電力供給に応答して第１の遊技機用インターフェース部が動作可能な場合には、通信接続用コネクタ部に対して前記非接続用コネクタが装着されていると判定するよう構成したので、本体部から給電されない第１の遊技機用インターフェース部の特性を利用して効率良く非接続用コネクタの存在を検知することができる。
【００３５】
また、本発明によれば、本体部に設けられた接続確認用コネクタ部、該接続確認用コネクタ部に装着された接続確認用コネクタ、該接続確認用コネクタに接続された非接続用コネクタ、該非接続用コネクタが接合された通信接続用コネクタ部をそれぞれ介して電力を第１の遊技機用インターフェース部に供給し、接続確認用コネクタ部からの電力供給に応答して第１の遊技機用インターフェース部が動作可能な場合には、通信接続用コネクタ部に対して非接続用コネクタが装着されていると判定するよう構成したので、電力供給を他の装置に依存することなく、本体部から給電されない第１の遊技機用インターフェース部の特性を利用して効率良く非接続用コネクタの存在を検知することができる。
【００３６】
また、本発明によれば、遊技媒体貸出装置の群に対して配設される島コントローラ、または、当該遊技媒体貸出装置に併設される紙幣識別機からの電力供給に応答して第１の遊技機用インターフェース部が動作可能な場合には、通信接続用コネクタ部に対して非接続用コネクタが装着されていると判定するよう構成したので、遊技媒体貸出装置の構成を改変せずとも、本体部から給電されない第１の遊技機用インターフェース部の特性を利用して効率良く非接続用コネクタの存在を検知することができる。
【００３７】
また、本発明によれば、第２の電力供給線の端部に設けられた電源用コネクタ部、該電源用コネクタ部に装着された電源用コネクタ、該電源用コネクタに接続された非接続用コネクタ、該非接続用コネクタが接合された通信接続用コネクタ部をそれぞれ介して電力を第１の遊技機用インターフェース部に供給し、電源用コネクタ部からの電力供給に応答して第１の遊技機用インターフェース部が動作可能な場合には、通信接続用コネクタ部に対して非接続用コネクタが装着されていると判定するよう構成したので、遊技媒体貸出装置及びその周辺装置（島コントローラや紙幣識別機などの装置）の構成を改変せずとも、本体部から給電されない第１の遊技機用インターフェース部の特性を利用して効率良く非接続用コネクタの存在を検知することができる。
【００３８】
また、本発明によれば、所定の給電装置から第１の遊技機用インターフェース部に電力が供給された場合に、通信接続用コネクタ部から非接続用コネクタに信号を出力し、該出力した信号が非接続用コネクタからそのまま入力されたならば、通信接続用コネクタ部に対して非接続用コネクタが装着されていると判定するよう構成したので、第１の遊技機用インターフェース部の動作状況を簡易な構成で検出し、もって非接続用コネクタの存在を効率良く検知することができる。
【００３９】
また、本発明によれば、所定の給電装置から第１の遊技機用インターフェース部に電力が供給された場合に、通信接続用コネクタ部から非接続用コネクタに信号を出力し、該出力した信号に応じて応答信号が非接続用コネクタから入力されたならば、通信接続用コネクタ部に対して非接続用コネクタが装着されていると判定するよう構成したので、第１の遊技機用インターフェース部の動作状況を精度良く検出し、もって非接続用コネクタの存在を正確に検知することができる。
【００４０】
また、本発明によれば、所定の給電装置から第１の遊技機用インターフェース部に電力が供給された場合に、非接続用コネクタから信号が入力されたならば、通信接続用コネクタ部に対して非接続用コネクタが装着されていると判定するよう構成したので、第１の遊技機用インターフェース部の動作状況を精度良く検出し、もって非接続用コネクタの存在を正確に検知することができる。
【００４１】
また、本発明によれば、第１の遊技機との通信接続用のコネクタ部に対して所定の接続用コネクタが装着されている場合には第１の遊技機と接続状態にあると判定し、該接続用コネクタが装着されていない場合には第１の遊技機と非接続状態にあると判定するよう構成したので、第１の遊技機との本来の接続用コネクタの存在を正確かつ効率良く検知することができる。
【発明を実施するための最良の形態】
【００４２】
以下に添付図面を参照して、本発明に係る遊技媒体貸出装置の好適な実施例を詳細に説明する。なお、ここでは遊技媒体貸出装置としてメダル貸し機を採用し、遊技機としてパチスロ機を採用した場合を示すこととする。
【実施例１】
【００４３】
まず、本実施例１に係るメダル貸し機１０について説明する。図１は、本実施例１に係るメダル貸し機１０にＣＲ機との接続用ケーブルを接続する状況を示す背面側方から見た斜視図である。同図に示すメダル貸し機１０は、遊技店内に複数配置されるパチスロ機にそれぞれ併設され、このパチスロ機でのパチスロ遊技に利用されるメダルを貸し出す装置である。
【００４４】
ここで、パチスロ機には、メダル貸し機１０と通信可能に接続され該メダル貸し機１０からのメダル投出信号を受信した際に装置内部からメダルを払い出すＣＲ機３０と、メダル貸し機１０とは接続されずメダル貸し処理に関与しない現金機とがある。すなわち、ＣＲ機３０の場合には、小役やボーナスが成立した場合に払い出される入賞メダルと同様にして貸出用のメダルについても装置内部から投出され、現金機の場合には、メダル貸し処理に一切関与せずメダル貸し機１０から投出される貸出用のメダルをノズルを介して受け皿に受け入れることになる。
【００４５】
このため、本実施例１に係るメダル貸し機１０は、このパチスロ機がＣＲ機３０又は現金機のいずれの場合であっても対応可能とし、遊技島に配置されたＣＲ機３０が現金機に配置換えされたような場合であってもメダル貸し機１０を更新する必要をなくしている。
【００４６】
特に、本実施例１に係るメダル貸し機１０では、後述する現金機設定部材４０がＣＲ機接続用コネクタ部１８に装着され、それ故にメダル貸し機１０がＣＲ機３０と非接続状態である場合に限り現金機対応の運用を行わせることで、メダル貸し機１０をＣＲ機３０に接続した状態で現金機対応の運用がなされる状況を防止している。このような事態を防止することとした理由は、店員の誤操作等によりメダル貸し機１０が誤った運用がなされる状況は遊技店のみならず遊技客の錯誤をも招くからである。
【００４７】
図１に示したように、このメダル貸し機１０をＣＲ機３０に併設する場合には、メダル貸し機１０の背面に設けられたＣＲ機接続用コネクタ部１８に対してケーブル２１の端部に設けられたコネクタ部２０を接合するとともに、このケーブル２１の他端に所在する図示しないコネクタ部をＣＲ機３０に接合することになる。
【００４８】
図２は、図１に示したメダル貸し機１０とＣＲ機３０とがケーブル２１を介して接続された状態を示す図である。同図に示すように、メダル貸し機１０は、本体制御部１１とＣＲ機用Ｉ／Ｆ部１２とが信号線１４を介して接続された制御ユニットを内在している。この本体制御部１１にはメダル貸し機１０内部の電源部１５から電力が供給されているが、本体制御部１１とＣＲ機用Ｉ／Ｆ部１２は絶縁層１３を介して分離されており、ＣＲ機用Ｉ／Ｆ部１２に対しては電源部１５の電力が供給されない。このＣＲ機用Ｉ／Ｆ部１２は、ケーブル２１を介してＣＲ機３０から電力供給を受けて機能する。
【００４９】
また、このメダル貸し機１０にはジョイント部１６を介して図１に示したＣＲ機接続用コネクタ部１８が設けられており、このＣＲ機接続用コネクタ部１８に対してケーブル２１の端部に設けられたコネクタ部２０が接合されることになる。かかるケーブル接続が行われると、メダル貸し機１０とＣＲ機３０の間でＡＣ電源供給ライン、グランド（ＧＮＤ）ライン及び信号線が形成され、ＣＲ機用Ｉ／Ｆ部１２の駆動並びにメダル貸し信号を含む各種制御信号の授受を行うことが可能となる。
【００５０】
本体制御部１１は、メダル貸し機１０の全体制御を行う制御部であり、具体的には、メダル貸出処理制御、紙幣処理制御、カード処理制御、表示制御、操作入力制御等を行う。なお、メダル貸出処理制御については、パチスロ機がＣＲ機３０である場合にはケーブル２１内の信号線を介してメダル貸し信号をＣＲ機３０に送出するよう制御する。
【００５１】
ＣＲ機用Ｉ／Ｆ部１２は、ＣＲ機３０とのデータ授受を司るインターフェース部であり、前述したようにケーブル２１を介してＣＲ機３０から電力供給を受けて機能する。このＣＲ機用Ｉ／Ｆ部１２は、信号変換回路１２ａ及びＡＣ／ＤＣ変換回路１２ｂ等を有する。
【００５２】
信号変換回路１２ａは、本体制御部１１から信号線１４を介して受信した信号をＣＲ機３０に適合した信号に変換してケーブル２１上の各信号線上に送出するとともに、ケーブル２１を介してＣＲ機３０から受信した信号を信号線１４を介して本体制御部１１に送出する。ＡＣ／ＤＣ変換回路１２ｂは、ケーブル２１のＡＣ電源供給ラインを通じて入力したＡＣ電力をＤＣ電力に変換して信号変換回路１２ａに供給する。
【００５３】
絶縁層１３は、ＣＲ機用Ｉ／Ｆ部１２をメダル貸し機１０の内部回路から独立化するためのものであり、この絶縁層１３の存在により電源部１５の電力はＣＲ機用Ｉ／Ｆ部１２には供給されない。電源部１５は、メダル貸し機１０の各内部回路に対して電力を供給する電源であるが、すでに説明した通りこの電源部１５の電力がＣＲ機用Ｉ／Ｆ部１２に供給されることはない。
【００５４】
ジョイント部１６は、メダル貸し機１０にＣＲ機接続用コネクタ部１８を結合するための結合部であり、ＣＲ機接続用コネクタ部１８は、ＣＲ機３０との間で通信接続するためのケーブル２１の端部に設けられたコネクタ部２０を接合する端部である。ただし、後ほど詳細に説明するように、本実施例１では、このＣＲ機接続用コネクタ部１８にコネクタ２０のみが接合されるわけではなく、現金機に対応するために現金機設定部材が装着されることがある。
【００５５】
次に、メダル貸し機１０を現金機に併設する場合について説明する。図３は、本実施例１に係るメダル貸し機１０に現金機設定部材４０を装着する状況を示す背面側方から見た斜視図である。
【００５６】
同図に示すように、メダル貸し機１０を現金機に併設する場合には、ＣＲ機接続用コネクタ部１８にケーブル２１の端部に設けられたコネクタ部２０を接合するのではなく現金機設定部材４０を装着する。
【００５７】
かかる現金機設定部材４０は、本来ＣＲ機３０と接続するためのケーブル２１の端部に設けられたコネクタ部２０の接合を防ぐ役割を果たすだけではなく、メダル貸し機１０に対してＣＲ機対応ではなく現金機対応として動作させる能動的な役割をも有する。
【００５８】
具体的には、この現金機設定部材４０は、上記コネクタ部２０のようにＣＲ機接続用コネクタ部１８のみに接合されるわけではなく、このＣＲ機接続用コネクタ部１８の下部に設けられた認識用コネクタ部１９にも接合される。そして、メダル貸し機１０が、この認識用コネクタ部１９の所定の信号線を介して通電すると、認識用コネクタ部１９〜現金機設定部材４０〜ＣＲ機接続用コネクタ部１８〜現金機設定部材４０〜認識用コネクタ部１９の順で導通し、確かに現金機設定部材４０がＣＲ機接続用コネクタ部１８に装着されていることをメダル貸し機１０に認識させることになる。
【００５９】
図４は、図１に示したメダル貸し機１０に現金機設定部材４０が装着された状態を示す図１である。同図に示すように、現金機設定部材４０は、２つのコネクタ部４１及び４２の間で各信号線が相互接続されており、この現金機設定部材４０をＣＲ機接続用コネクタ部１８及び認識用コネクタ部１９に装着すると、メダル貸し機１０内の現金機設定部材検出部１７〜認識用コネクタ部１９〜コネクタ部４２〜コネクタ部４１〜ＣＲ機接続用コネクタ部１８〜ジョイント部１６への信号経路が少なくとも２経路形成される。
【００６０】
また、ＣＲ機用Ｉ／Ｆ部１２内部では、かかる２つの信号経路が結線されているので、結果的に現金機設定部材検出部１７〜認識用コネクタ部１９〜コネクタ部４２〜コネクタ部４１〜ＣＲ機接続用コネクタ部１８〜ジョイント部１６〜ＣＲ機接続用コネクタ部１８〜コネクタ部４１〜コネクタ部４２〜認識用コネクタ部１９〜現金機設定部材検出部１７の経路が形成されることになる。
【００６１】
このため、メダル貸し機１０のＣＲ機接続用コネクタ部１８に本来のコネクタ部２０が接合されておらずＣＲ機用Ｉ／Ｆ部１２に電力が供給されていない場合であっても、現金機設定部材検出部１７によるループ電流の検出を行えば、現金機設定部材４０がＣＲ機接続用コネクタ部１８に装着されているか否かを検出することが可能となる。
【００６２】
したがって、本体制御部１１では、現金機設定部材検出部１７により現金機設定部材４０の存在を検出された場合には、併設されたパチスロ機が現金機であるものと判定して現金機対応のメダル貸出処理、具体的にはメダルをノズルを介してパチスロ機の受け皿に払い出す制御を行うことになる。
【００６３】
このように、かかるメダル貸し機１０に設けられる現金機設定部材検出部１７はループ電流形成の有無に基づいて現金機設定部材４０がＣＲ機接続用コネクタ部１８に装着されているか否かを検出してその検出結果を本体制御部１１に通知する処理を行っている。
【００６４】
次に、本実施例１に係るメダル貸し機１０の内部構成について説明する。図５は、本実施例１に係るメダル貸し機１０の内部構成を示す機能ブロック図である。同図に示すように、このメダル貸し機１０は、表示部１０ａ、操作部１０ｂ、カード処理部１０ｃ、メダル投出部１０ｄ、紙幣処理部１０ｅ、本体制御部１１、ＣＲ機用Ｉ／Ｆ部１２、現金機設定部材検出部１７及び電源部１５等を有する。
【００６５】
表示部１０ａは、メダル貸し機１０の前面に配設される各種ランプであり、操作部１０ｂは、メダル貸し操作を受け付けるボタン等である。カード処理部１０ｃは、プリペイドカードに関する処理を行う処理部であり、プリペイドカードに記録されたカードＩＤの読取処理、図示しないターミナルコントローラ（Ｔ／Ｃ）を介したカード残高の確認処理、プリペイドカードの搬送処理等を行う。なお、このカード処理部１０ｃは、併設されるパチスロ機が主としてＣＲ機３０である場合に必要となる処理部であるので、併設されるパチスロ機が現金機である場合にはメダル貸し機１０から外せるよう着脱可能に形成することができる。
【００６６】
メダル投出部１０ｄは、図示しないノズルを介してパチスロ機の受け皿にメダルを投出する処理部であり、紙幣処理部１０ｅは、投入された紙幣の金種判別及び収納等を司る処理部である。かかるメダル投出部１０ｄ及び紙幣処理部１０ｅは、併設されるパチスロ機が主として現金機である場合に必要となる処理部であるので、併設されるパチスロ機がＣＲ機である場合にはメダル貸し機１０から外せるよう着脱可能に形成することができる。
【００６７】
本体制御部１１は、すでに説明したように、メダル貸し機１０の全体制御を行う制御部であり、具体的には、メダル貸出処理制御、紙幣処理制御、カード処理制御、表示制御、操作入力制御等を行う。また、ＣＲ機用Ｉ／Ｆ部１２は、ＣＲ機３０とのデータ授受を司るインターフェース部であり、前述したようにケーブル２１を介してＣＲ機３０から電力供給を受けて機能する。
【００６８】
現金機設定部材検出部１７は、ループ電流形成の有無に基づいて現金機設定部材４０がＣＲ機接続用コネクタ部１８に装着されているか否かを検出してその検出結果を本体制御部１１に通知する処理部である。電源部１５は、ＣＲ機用Ｉ／Ｆ部１２以外の各部に電力を供給する電源である。
【００６９】
上述してきたように、本実施例１では、メダル貸し機１０の背面に設けられるＣＲ機接続用コネクタ部１８及び認識用コネクタ部１９に現金機設定部材４０が装着された場合に、現金機設定部材検出部１７がループ電流の形成状態を確認してＣＲ機接続用コネクタ部１８に現金機設定部材４０が装着された事実を検知して本体制御部１１にその結果を通知し、本体制御部１１では、かかる場合にＣＲ機３０との間の接続がなされていないものと判定して現金機対応のメダル貸出処理制御を行うよう構成したので、ＣＲ機３０と接続されているにも係わらず現金機対応の運用を行わせるような錯誤を未然に防止することができる。
【実施例２】
【００７０】
ところで、上記した実施例１では、現金機設定部材検出部１７によるループ電流検出によって現金機設定部材４０がＣＲ機接続用コネクタ部１８に装着されているか否かを検出する場合を示したが、他の折り返し導通試験を用いて現金機設定部材４０の装着状態を検出することもできる。そこで、本実施例２では、現金機設定部材検出部１７Ｂによるループ確認用の送信信号の循環検出によって現金機設定部材４０の装着状態を検出する場合を示すこととする。
【００７１】
図６は、図１に示したメダル貸し機に現金機設定部材が装着された状態を示す図である。同図に示すように、本実施例２においても、現金機設定部材４０は２つのコネクタ部４１及び４２の間で各信号線が相互接続されており、この現金機設定部材４０をＣＲ機接続用コネクタ部１８及び認識用コネクタ部１９に装着すると、実施例１と同様に、メダル貸し機１０内の現金機設定部材検出部１７Ｂ〜認識用コネクタ部１９〜コネクタ部４２〜コネクタ部４１〜ＣＲ機接続用コネクタ部１８〜ジョイント部１６への信号経路が少なくとも２経路形成される。
【００７２】
また、ＣＲ機用Ｉ／Ｆ部１２内部においても、実施例１と同様に、かかる２つの信号経路が結線されているので、結果的に現金機設定部材検出部１７Ｂ〜認識用コネクタ部１９〜コネクタ部４２〜コネクタ部４１〜ＣＲ機接続用コネクタ部１８〜ジョイント部１６〜ＣＲ機接続用コネクタ部１８〜コネクタ部４１〜コネクタ部４２〜認識用コネクタ部１９〜現金機設定部材検出部１７Ｂの経路が形成されることになる。
【００７３】
ここで、本実施例２に係る現金機設定部材検出部１７Ｂは、ループ確認用のデジタル信号（例えば、「０」又は「１」の２値で構成されるビットもしくはそのビット列）を送信し、それに対する応答の有無によって現金機設定部材４０の装着によるループラインが形成されているか否かを確認するものであり、メダル貸し機１０における本体制御部１１内に設けられている。
【００７４】
さらに、かかる現金機設定部材検出部１７Ｂでは、あらかじめ各ビットのビット構成が定められた所定長のビット列をループ確認用の送信データとして送信し、この送信データに対する応答が得られた場合に、かかる応答として得られた受信データと元の送信データとを突合し、これら両者が一致する場合には、現金機設定部材４０がＣＲ機接続用コネクタ部１８に装着されていると判定し、一方、両者が一致しない場合には、ＣＲ機接続用コネクタ部１８に現金機設定部材４０が装着されていないと判定する。
【００７５】
このように、現金機設定部材検出部１７Ｂにて送信データに対する応答の有無を判定することに加え、送信データと受信データとを突合することとしたのは、現金機設定部材４０以外の不正な装置が認識用コネクタ部１９に装着された場合に、その不正な装置による応答を正当な現金機設定部材４０による応答と誤認することを防止し、ＣＲ機（第１の遊技機）に接続されているにも係わらず現金機対応の動作を行わせようという不正を防止するためである。なお、この場合には、ＣＲ機接続用コネクタ部１８に不正な装置が装着されている旨を注意喚起する報知をさらに行うようにしてもよい。
【００７６】
したがって、本体制御部１１では、現金機設定部材検出部１７Ｂにより現金機設定部材４０の存在を検出された場合には、併設されたパチスロ機が現金機であるものと判定して現金機対応のメダル貸出処理、具体的にはメダルをノズルを介してパチスロ機の受け皿に払い出す制御を行うことになる。
【００７７】
次に、図７を用いて、本実施例２に係る現金機設定部材検出部１７Ｂの処理の流れを具体的に説明する。図７は、本実施例２に係る現金機設定部材検出部の処理手順を示すフローチャートである。この処理は、メダル貸し機１０の電源ＯＮである場合に行われる処理であり、あらかじめ定められた時機（例えば、メダル貸し機１０の起動時など）に行われる。なお、この処理は、起動時以外にも任意の時機、任意の周期、任意の回数について行うことができるのは言うまでもない。
【００７８】
かかる処理の作動条件が満たされると、図７に示すように、現金機設定部材検出部１７Ｂは、あらかじめ各ビットのビット構成が定められた所定長のビット列をループ確認用の送信データとして出力する（ステップＳ７０１）。
【００７９】
ここで、かかる送信データに対する応答が得られた場合（ステップＳ７０２肯定）に、現金機設定部材検出部１７Ｂは、かかる応答として得られた受信データと元の送信データとが一致するか否かをさらに判定し、これら両者が一致する場合（ステップＳ７０３肯定）には、ＣＲ機接続用コネクタ部１８に現金機設定部材９０が装着されていると判定し（ステップＳ７０４）、処理を終了する。
【００８０】
また、送信データに対する応答が得られなかった場合、或いは、応答が得られたとしてもその受信データと元の送信データとが一致しなかった場合（ステップＳ７０２否定またはステップＳ７０３否定）には、現金機設定部材検出部１７Ｂは、ＣＲ機接続用コネクタ部１８に現金機設定部材９０が装着されていないと判定し（ステップＳ７０５）、処理を終了する。
【００８１】
例えば、送信データに対する応答が得られなかった場合には、メダル貸し機１０が他の装置に接続されていない可能性またはＣＲ機に接続されている可能性があり、また、たとえば送信データとしてビット列「０１０」を出力しているのに対し、受信データとして送信データと一致しないビット列「１１１」が入力された場合には、認識用コネクタ部１９に不正な装置が装着されている可能性がある。なお、本実施例２では、送信データと受信データとの一致／不一致を判定することとしたが、本発明はこれに限定されるものではなく、送信データと受信データとのビット長を比較するようにしてもよい。
【００８２】
上述してきたように、本実施例２では、メダル貸し機１０の背面に設けられるＣＲ機接続用コネクタ部１８及び認識用コネクタ部１９に現金機設定部材４０が装着された場合に、現金機設定部材検出部１７Ｂがループ確認用の送信データの循環を確認してＣＲ機接続用コネクタ部１８に現金機設定部材４０が装着された事実を検知し、かかる場合にＣＲ機３０との間の接続がなされていないものと判定して、本体制御部１１にて現金機対応のメダル貸出処理制御を行うよう構成したので、上記した実施例１と同様、ＣＲ機３０と接続されているにも係わらず現金機対応の運用を行わせるような錯誤を未然に防止することができる。
【実施例３】
【００８３】
ところで、上記した実施例１及び２では、現金機設定部材検出部１７又は現金機設定部材検出部１７Ｂによる折り返し導通試験によって現金機設定部材４０がＣＲ機接続用コネクタ部１８に装着されているか否かを検出する場合を示したが、他の手段を用いて現金機設定部材４０の装着状態を検出することもできる。そこで、本実施例３では、ＣＲ機接続用コネクタ部１８の近傍に設けられた現金機設定部材検出スイッチ５１を用いて現金機設定部材４０の装着状態を検出する場合を示すこととする。
【００８４】
図８は、本実施例３に係るメダル貸し機１０に現金機設定部材５０を装着する状況を示す背面側方から見た斜視図である。同図に示すように、この現金機設定部材５０は、その下部に突起部を有するいわゆるＬ字形状を有しており、現金機設定部材５０がＣＲ機接続用コネクタ部１８に装着される際に、該ＣＲ機接続用コネクタ部１８の下部に設けられた現金機設定部材検出スイッチ５１を突起部によって押下される構造となっている。なお、本実施例３に係るメダル貸し機１０には実施例１に示した認識用コネクタ部１９に相当するものは設ける必要はない。
【００８５】
具体的には、図９−１に示すように、ＣＲ機接続用コネクタ部１８に現金機設定部材５０を装着する場合には、この現金機設定部材５０の下部に設けられた突起部によって現金機設定部材検出スイッチ５１が押下され、この現金機設定部材検出スイッチ５１の状態を検知した本体制御部１１は、現金機対応のメダル貸し処理をすべきと判定できる。
【００８６】
これに対して、図９−２に示すように、ＣＲ機３０との間の接続を行うケーブル２１の端部に設けられたコネクタ部２０をＣＲ機接続用コネクタ部１８に接合する場合には、該コネクタ部２０に突起部が設けられていないために、現金機設定部材検出スイッチ５１は押下されない。このため、この現金機設定部材検出スイッチ５１の状態を検知した本体制御部１１は、ＣＲ機３０対応のメダル貸し処理をすべきと判定できる。
【００８７】
図１０は、本実施例３に係るメダル貸し機１０の内部構成を示す機能ブロック図である。なお、図５に示したものと同様の機能を発揮する部位には同一符号を付すこととしてその詳細な説明を省略する。
【００８８】
同図に示すように、本実施例３に係るメダル貸し機１０は、図５に示した現金機設定部材検出部１７の代わりに現金機設定部材検出スイッチ５１が設けられている。この現金機設定部材検出スイッチ５１は、ＣＲ機接続用コネクタ部１８の下部であり、かつ、Ｌ字形状を有する現金機設定部材５０を装着する際にその突起部によって押下される位置に配設されている。
【００８９】
この現金機設定部材検出スイッチ５１が押下を検出すると、その結果が本体制御部１１に通知され、該本体制御部１１は、現金機設定部材５０がＣＲ機接続用コネクタ部１８に装着されたものと判定することができ、これにより現金機対応として機能してメダル貸出操作を受け付けた際にメダル投出部１０ｄを介して直接メダルを現金機の受け皿に投出させるよう制御することができる。
【００９０】
上述してきたように、本実施例３では、メダル貸し機１０のＣＲ機接続用コネクタ部１８の下部に現金機設定部材検出スイッチ５１を設けておき、Ｌ字形状を有する現金機設定部材５０をＣＲ機接続用コネクタ部１８に装着する際に、該現金機設定部材５０の突起部によって現金機設定部材検出スイッチ５１が押下されたならば、本体制御部１１がＣＲ機接続用コネクタ部１８に現金機設定部材５０が装着されていると判定するよう構成したので、ＣＲ機３０と接続状態でないことを条件に現金機対応のメダル貸し処理を行うことを担保することができる。
【００９１】
なお、本実施例３では、Ｌ字形状を有する現金機設定部材５０を用いる場合を示したが、本発明はこれに限定されるものではなく、コネクタ部２０によっては押下されない位置に現金機設定部材検出スイッチ５１を設けておき、現金機設定部材５０をＣＲ機接続用コネクタ部１８を装着する際に、この現金機設定部材検出スイッチ５１を押下する形状を持つ現金機設定部材５０を採用すれば良い。
【実施例４】
【００９２】
次に、実施例４では、現金機設定部材を介してメダル貸し機８０単体でＣＲ機用Ｉ／Ｆ部１２に電力供給し、このＣＲ機用Ｉ／Ｆ部１２の動作状況に基づいて現金機設定部材がＣＲ機接続用コネクタ部１８に装着されているか否かを検知する場合について説明する。図１１は、本実施例４に係る現金機設定部材を介してメダル貸し機８０単体でＣＲ機用Ｉ／Ｆ部１２に電力供給するメダル貸し機８０に現金機設定部材９０が装着される状態を示す図である。
【００９３】
同図に示すように、このメダル貸し機８０には、電源部１５の電力を現金機設定部材９０を介してＣＲ機用Ｉ／Ｆ部１２に供給する電力供給部８２を有するとともに、ＣＲ機用Ｉ／Ｆ部１２の動作状況に基づいて現金機設定部材９０が装着されているか否かを検出する現金機設定部材検出部８１が本体制御部１１内に設けられている。また、メダル貸し機８０のＣＲ機接続用コネクタ部１８の下部には、電力供給用コネクタ部８３が設けられている。
【００９４】
一方、現金機設定部材９０は、ＣＲ機接続用コネクタ部１８と接合するためのコネクタ部と、電力供給用コネクタ部８３と接合するためのコネクタ部とが電力供給線で接続されており、またＣＲ機接続用コネクタ部１８と接合するためのコネクタ部の信号線部分に信号線ループラインが設けられている。
【００９５】
このため、この現金機設定部材９０が、メダル貸し機８０のＣＲ機接続用コネクタ部１８及び電力供給用コネクタ部８３に装着されると、電力供給部８２〜電力供給用コネクタ部８３〜現金機設定部材９０〜ＣＲ機接続用コネクタ部１８を介してＣＲ機用Ｉ／Ｆ部１２に電力が供給される。
【００９６】
本来、このＣＲ機用Ｉ／Ｆ部１２は、電源部１５から電力供給されるものではなく、ＣＲ機からの電力供給により機能するものであるが、かかる現金機設定部材９０を用いることにより、機能発揮が可能な状態となる。
【００９７】
ここで、信号変換回路１２ａから信号線上に信号を送信すると、現金機設定部材９０のコネクタ部に設けられた信号線ループラインにより他の信号線から信号の返信を受けるため、かかる信号の返信を受信したならば、現金機設定部材検出部８１は、ＣＲ機接続用コネクタ部１８に現金機設定部材９０が装着されていると判定することができる。
【００９８】
図１２は、本実施例４に係る現金機設定部材９０を介してメダル貸し機８０単体でＣＲ機用Ｉ／Ｆ部１２に電力供給するメダル貸し機８０の内部構成を示す機能ブロック図である。同図に示すように、この場合を図５と比較すると、ここでは現金機設定部材９０を介してメダル貸し機８０単体でＣＲ機用Ｉ／Ｆ部１２に電力供給する電力供給部８２が設けられている点が異なる。また、本体制御部１１の内部にソフトウエア処理により機能する現金機設定部材検出部８１を設け、この現金機設定部材検出部８１により信号線及び信号線ループラインを用いた信号チェックを行って現金機設定部材９０がＣＲ機接続用コネクタ部１８に装着されているか否かを検知できる点も異なる。
【００９９】
上述してきたように、本実施例４では、現金機設定部材９０を介してメダル貸し機８０単体でＣＲ機用Ｉ／Ｆ部１２に電力供給した上で、ＣＲ機用Ｉ／Ｆ部１２から現金機設定部材９０に信号を出力し、該出力した信号が現金機設定部材９０からそのまま入力されたならば、ＣＲ機接続用コネクタ部１８に対して現金機設定部材９０が装着されていると判定するよう構成したので、ＣＲ機３０と接続状態でないことを条件に現金機対応のメダル貸し処理を行うことを担保することができる。
【実施例５】
【０１００】
さて、これまで本発明の実施例について説明したが、本発明は上述した実施例以外にも、種々の異なる形態にて実施されてよいものである。そこで、以下では、本発明に含まれる他の実施例を説明する。
【０１０１】
（１）ＣＲ機用Ｉ／Ｆ部１２の動作状況の検出手法１
上記した実施例４では、現金機設定部材９０のコネクタ部に設けられた信号線ループラインを用いて信号チェックを行うことでＣＲ機用Ｉ／Ｆ部１２が動作可能であるか否かを検知する実施例について説明したが、他の手段を用いてＣＲ機用Ｉ／Ｆ部１２の動作状況、すなわち現金機設定部材の装着状態を検出することもできる。
【０１０２】
例えば、本発明では、ＣＲ機用Ｉ／Ｆ部１２から現金機設定部材１１０に信号を出力し、該出力した信号に応じて応答信号が入力されるか否かによってＣＲ機用Ｉ／Ｆ部１２の動作状況を検知するようにしてもよい。図１３は、現金機設定部材を介してメダル貸し機８０単体でＣＲ機用Ｉ／Ｆ部１２に電力供給するメダル貸し機８０に現金機設定部材１１０が装着される状態を示す図である。
【０１０３】
図１３に示すメダル貸し機８０は、実施例４に係る構成（図１１参照）と同様であり、また、現金機設定部材１１０においても、ＣＲ機接続用コネクタ部１８と接合するためのコネクタ部と、電力供給用コネクタ部８３と接合するためのコネクタ部とが電力供給線で接続された構成を採用している点では実施例４に係る現金機設定部材９０と同様である。
【０１０４】
これら現金機設定部材９０と現金機設定部材１１０の構成が相違するのは、現金機設定部材９０には、当該現金機設定部材９０に入力された信号をそのまま出力する信号線ループラインが設けられているのに対し、現金機設定部材１１０には、当該現金機設定部材１１０に入力された信号に応じて応答信号を出力する制御回路１１１が設けられている点である。
【０１０５】
ここで、現金機設定部材１１０の装着状態検出処理に関する信号変換回路１２ａ、制御回路１１１、現金機設定部材検出部８１間の制御シーケンスについて説明する。図１４は、現金機設定部材１１０の装着状態検出処理に関する信号変換回路１２ａ、制御回路１１１、現金機設定部材検出部８１間の制御シーケンスを示す図１である。
【０１０６】
上記した現金機設定部材１１０がメダル貸し機８０のＣＲ機接続用コネクタ部１８及び電力供給用コネクタ部８３に装着されると、図１４に示すように、電力供給部８２〜電力供給用コネクタ部８３〜現金機設定部材１１０〜ＣＲ機接続用コネクタ部１８を介してＣＲ機用Ｉ／Ｆ部１２（信号変換回路１２ａ）に電力が供給されるとともに（ステップＳ１０１Ａ）、電力供給部８２〜電力供給用コネクタ部８３を介して制御回路１１１に電力が供給される（ステップＳ１０１Ｂ）。
【０１０７】
このようにして電力供給を受けた信号変換回路１２ａは、現金機設定部材１１０における制御回路１１１に対して信号を出力して応答要求を行う（ステップＳ１０２）。一方、この応答要求を受け付けた制御回路１１１では、信号変換回路１２ａから入力された信号に対する応答信号を出力して応答する（ステップＳ１０３）。
【０１０８】
そして、この応答を受け付けた信号変換回路１２ａは、現金機設定部材１１０からの応答を検知した旨の通知を現金機設定部材検出部８１に行い（ステップＳ１０４）、この通知を受け付けた現金機設定部材検出部８１では、ＣＲ機接続用コネクタ部１８に現金機設定部材９０が装着されていると判定する（ステップＳ１０５）。
【０１０９】
このように、ＣＲ機用Ｉ／Ｆ部１２から現金機設定部材１１０に信号を出力し、該出力した信号に応じて応答信号が現金機設定部材１１０から入力されたならば、ＣＲ機接続用コネクタ部１８に対して現金機設定部材１１０が装着されていると判定するよう構成することで、実施例４と同様、ＣＲ機３０と接続状態でないことを条件に現金機対応のメダル貸し処理を行うことを担保することができる。
【０１１０】
（２）ＣＲ機用Ｉ／Ｆ部１２の動作状況の検出手法２
また、本発明では、現金機設定部材１１０から信号が入力されるか否かによってＣＲ機用Ｉ／Ｆ部１２の動作状況を検知するようにしてもよい。この場合には、図１３に示したメダル貸し機８０および現金機設定部材１１０の構成と同一構成となるので、構成については説明を省略し、相違する動作についてのみ説明する。
【０１１１】
図１５は、現金機設定部材１１０の装着状態検出処理に関する信号変換回路１２ａ、制御回路１１１、現金機設定部材検出部８１間の制御シーケンスを示す図２である。上記した現金機設定部材１１０がメダル貸し機８０のＣＲ機接続用コネクタ部１８及び電力供給用コネクタ部８３に装着されると、図１５に示すように、電力供給部８２〜電力供給用コネクタ部８３〜現金機設定部材１１０〜ＣＲ機接続用コネクタ部１８を介してＣＲ機用Ｉ／Ｆ部１２（信号変換回路１２ａ）に電力が供給されるとともに（ステップＳ２０１Ａ）、電力供給部８２〜電力供給用コネクタ部８３を介して制御回路１１１に電力が供給される（ステップＳ２０１Ｂ）。
【０１１２】
このようにして電力供給を受けた制御回路１１１は、ＣＲ機用Ｉ／Ｆ１２における信号変換回路１２ａに対して、当該現金機設定部材１１０が装着された旨を示す信号を出力して装着通知を行う（ステップＳ２０２）。
【０１１３】
一方、この装着通知を受け付けた信号変換回路１２ａでは、現金機設定部材１１０からの装着通知を装着完了通知として現金機設定部材検出部８１に転送し（ステップＳ２０３）、この装着完了通知を受け付けた現金機設定部材検出部８１は、ＣＲ機接続用コネクタ部１８に現金機設定部材１１０が装着されていると判定する（ステップＳ２０４）。
【０１１４】
このように、現金機設定部材１１０から信号が入力されたならば、ＣＲ機接続用コネクタ部１８に対して現金機設定部材１１０が装着されていると判定するよう構成することで、実施例４と同様、ＣＲ機３０と接続状態でないことを条件に現金機対応のメダル貸し処理を行うことを担保することができる。
【０１１５】
（３）ＣＲ機用Ｉ／Ｆ部１２への電力供給形態１
上記した実施例４では、現金機設定部材を介してメダル貸し機８０単体でＣＲ機用Ｉ／Ｆ部１２に電力供給する実施例について説明したが、本発明はこれに限定されるものではなく、ＣＲ機３０以外の所定の給電装置から現金機設定部材を介してＣＲ機用Ｉ／Ｆ部１２に電力供給を行うこともできる。
【０１１６】
例えば、本発明では、メダル貸し機８０の群に対して配設される島コントローラ１２１からの電力供給に応答してＣＲ機用Ｉ／Ｆ部が動作可能な場合には、ＣＲ機接続用コネクタ部１８に対して現金機設定部材１３０が装着されていると判定するようにしてもよい。図１６は、島コントローラ１２１から現金機設定部材１３０を介してＣＲ機用Ｉ／Ｆ部１２に電力供給が行われるメダル貸し機８０に現金機設定部材１３０が装着される状態を示す図である。
【０１１７】
同図に示すように、島コントローラ１２１から現金機設定部材１３０を介してＣＲ機用Ｉ／Ｆ部１２に電力供給を行うようにすれば、実施例４に係るメダル貸し機８０のように、電力供給用コネクタ部８３および電力供給部８２に相当するもの（図１１参照）は設ける必要はない。
【０１１８】
一方、現金機設定部材１３０は、ＣＲ機接続用コネクタ部１８と接合するためのコネクタ部と、一方の端部のコネクタ部が島コントローラ１２１の電力供給用コネクタ部１２３と接合された「ケーブル」のもう一方の端部のコネクタ部と接合するためのコネクタ部とが電力供給線で接続されており、またＣＲ機接続用コネクタ部１８と接合するためのコネクタ部の信号線部分に信号線ループラインが設けられている。
【０１１９】
このため、この現金機設定部材１３０が、メダル貸し機８０のＣＲ機接続用コネクタ部１８に装着されると、島コントローラ１２１の電力供給用コネクタ部１２３〜現金機設定部材１３０〜ＣＲ機接続用コネクタ部１８を介してＣＲ機用Ｉ／Ｆ部１２に電力が供給される。
【０１２０】
このように、島端１２０に配設される島コントローラ１２１からＣＲ機用Ｉ／Ｆ部１２に電力供給が行われた上で、実施例４と同様に、現金機設定部材検出部８１が現金機設定部材１３０のコネクタ部に設けられた信号線ループラインを用いて信号チェックを行うことで、現金機設定部材１３０がＣＲ機接続用コネクタ部１８に装着されているか否かも同様に検知することができる。
【０１２１】
（４）ＣＲ機用Ｉ／Ｆ部１２への電力供給形態２
また、本発明では、メダル貸し機８０に併設される外部紙幣識別機１４０からの電力供給に応答してＣＲ機用Ｉ／Ｆ部が動作可能な場合には、ＣＲ機接続用コネクタ部１８に対して現金機設定部材１３０が装着されていると判定するようにしてもよい。図１７は、外部紙幣識別機１４０から現金機設定部材１５０を介してＣＲ機用Ｉ／Ｆ部１２に電力供給が行われるメダル貸し機８０に現金機設定部材１５０が装着される状態を示す図である。
【０１２２】
同図に示すように、外部紙幣識別機１４０から現金機設定部材１５０を介してＣＲ機用Ｉ／Ｆ部１２に電力供給を行うようにすれば、実施例４に係るメダル貸し機８０のように、電力供給用コネクタ部８３および電力供給部８２に相当するもの（図１１参照）は設ける必要はない。
【０１２３】
一方、現金機設定部材１５０は、ＣＲ機接続用コネクタ部１８と接合するためのコネクタ部と、外部紙幣識別機１４０の電力供給用コネクタ部１４２と接合するためのコネクタ部とが電力供給線で接続されており、またＣＲ機接続用コネクタ部１８と接合するためのコネクタ部の信号線部分に信号線ループラインが設けられている。
【０１２４】
このため、この現金機設定部材１５０が、メダル貸し機８０のＣＲ機接続用コネクタ部１８に装着されると、外部紙幣識別機１４０の電力供給用コネクタ部１４２〜現金機設定部材１５０〜ＣＲ機接続用コネクタ部１８を介してＣＲ機用Ｉ／Ｆ部１２に電力が供給される。
【０１２５】
このように、メダル貸し機８０に併設される外部紙幣識別機１４０から現金機設定部材１５０を介してＣＲ機用Ｉ／Ｆ部１２に電力供給が行われた上で、実施例４と同様に、現金機設定部材検出部８１が現金機設定部材１５０のコネクタ部に設けられた信号線ループラインを用いて信号チェックを行うことで、現金機設定部材１５０がＣＲ機接続用コネクタ部１８に装着されているか否かも同様に検知することができる。
【０１２６】
（５）ＣＲ機用Ｉ／Ｆ部１２への電力供給形態３
また、本発明では、メダル貸し機８０から外部紙幣識別機１４０への電力供給線に分岐ハーネスを設け、該分岐ハーネスにより分岐された電力供給線のうち外部紙幣識別機１４０に接続されない方の電力供給線の端部に設けられた電力供給用コネクタ部１６０から現金機設定部材１７０を介してＣＲ機用Ｉ／Ｆ部１２に電力供給するようにしてもよい。図１８は、分岐ハーネスにより分岐された電力供給線から現金機設定部材を介してＣＲ機用Ｉ／Ｆ部１２に電力供給が行われるメダル貸し機８０に現金機設定部材１７０が装着される状態を示す図である。
【０１２７】
同図に示すように、分岐ハーネスにより分岐された電力供給線から現金機設定部材１７０を介してＣＲ機用Ｉ／Ｆ部１２に電力供給を行うようにすれば、実施例４に係るメダル貸し機８０のように、電力供給用コネクタ部８３および電力供給部８２に相当するもの（図１１参照）は設ける必要はない。
【０１２８】
一方、現金機設定部材１７０は、ＣＲ機接続用コネクタ部１８と接合するためのコネクタ部と、分岐ハーネスにより分岐された電力供給線の端部に設けられる電力供給用コネクタ部１６０と接合するためのコネクタ部とが電力供給線で接続されており、またＣＲ機接続用コネクタ部１８と接合するためのコネクタ部の信号線部分に信号線ループラインが設けられている。
【０１２９】
このため、この現金機設定部材１７０が、メダル貸し機８０のＣＲ機接続用コネクタ部１８に装着されると、分岐ハーネス〜電力供給用コネクタ部１６０〜現金機設定部材１７０〜ＣＲ機接続用コネクタ部１８を介してＣＲ機用Ｉ／Ｆ部１２に電力が供給される。
【０１３０】
このように、分岐ハーネスにより分岐された電力供給線から現金機設定部材１７０を介してＣＲ機用Ｉ／Ｆ部１２に電力供給が行われた上で、実施例４と同様に、現金機設定部材検出部８１が現金機設定部材１７０のコネクタ部に設けられた信号線ループラインを用いて信号チェックを行うことで、現金機設定部材１７０がＣＲ機接続用コネクタ部１８に装着されているか否かも同様に検知することができる。
【０１３１】
なお、ここでは、ＣＲ機用Ｉ／Ｆ部１２への電力供給形態として、電力供給元から現金機設定部材を経由してＣＲ機用Ｉ／Ｆ部１２に電力を供給する例について説明したが、必ずしも現金機設定部材を経由して電力を供給する必要はなく、電力供給元からＣＲ機用Ｉ／Ｆ部１２に電力を直接供給するようにしてもよい。
【０１３２】
（６）その他
本発明では、フレームのアース接続を利用して現金機設定部材７０がＣＲ機接続用コネクタ部１８に装着されているか否かを検知するようにしてもよい。図１９は、フレームのアース接続を利用するメダル貸し機６０に現金機設定部材７０が装着される状態を示す図である。
【０１３３】
同図に示すように、このメダル貸し機６０には、フレームのアース接続を利用して現金機設定部材７０がＣＲ機接続用コネクタ部１８に装着されているか否かを検知する現金機設定部材検出部６１が設けられており、この現金機設定部材検出部６１からＣＲ機接続用コネクタ部１８のフレーム部分にフレーム信号線が接続されている。また、このメダル貸し機６０のＣＲ機接続用コネクタ部１８の下部にはアース端子６２が設けられている。
【０１３４】
一方、現金機設定部材７０は、コネクタ部のフレームにアースを接続する形状を有しており、この現金機設定部材７０がＣＲ機接続用コネクタ部１８に装着されると、現金機設定部材検出部６１〜ＣＲ機接続用コネクタ部１８のフレーム部分〜現金機設定部材７０のフレーム部分〜アース端子６２の経路が形成されるため、本体制御部１１では、ＣＲ機接続用コネクタ部１８に現金機設定部材７０が装着されたか否かを容易に判定することができる。
【０１３５】
図２０は、フレームのアース接続を利用するメダル貸し機６０の内部構成を示す機能ブロック図である。同図に示すように、この場合を図５と比較すると、ここではフレームのアース接続を利用して現金機設定部材７０がＣＲ機接続用コネクタ部１８に装着されているか否かを検知する現金機設定部材検出部６１が設けられている点のみが異なることが分かる。
【０１３６】
上記に示した各実施例では、メダル貸し機のＣＲ機接続用コネクタ部１８に現金機設定部材が装着されている場合に現金機対応のメダル貸し処理を行わせる場合を示したが、ＣＲ機との接続を検知してＣＲ対応のメダル貸し処理を行わせることもできる。
【０１３７】
例えば、上記実施例３を変更してＣＲ機接続用コネクタ部１８の下部にＣＲ機用コネクタ部検出スイッチを設け、現金機設定部材ではこのＣＲ機用コネクタ部検出スイッチが押下されず、コネクタ部２０によってのみこのＣＲ機用コネクタ部検出スイッチが押下されるようにすれば、かかるＣＲ機用コネクタ部検出スイッチによりＣＲ機と接続状態にあるか否かを検出することができる。
【０１３８】
このため、本体制御部１１では、ＣＲ機と接続状態にあると判定された場合にのみＣＲ対応のメダル貸し処理を行い、その他の場合に現金機対応のメダル貸し処理を行うよう構成することが可能となる。同様に、実施例４で記載したＣＲ機用Ｉ／Ｆ部１２の動作状況を検知したり、本実施例５で記載したコネクタのフレームのアース接続を利用したりしてＣＲ機と接続状態にあるか否かを検知することもできる。
【０１３９】
なお、本実施例では、メダル貸し機を用いた場合を示したが本発明はこれに限定されるものではなく、パチンコ玉を貸し出す玉貸し機等の各種遊技媒体貸出装置に本発明を適用することができる。
【産業上の利用可能性】
【０１４０】
本発明にかかる遊技媒体貸出装置は、併設される遊技機がＣＲ機又は現金機のいずれの場合であっても、効率的かつ適正に対応する場合に有用である。
【図面の簡単な説明】
【０１４１】
【図１】本実施例１に係るメダル貸し機にＣＲ機との接続用ケーブルを接続する状況を示す背面側方から見た斜視図である。
【図２】図１に示したメダル貸し機とＣＲ機とがケーブルを介して接続された状態を示す図である。
【図３】本実施例１に係るメダル貸し機に現金機設定部材を装着する状況を示す背面側方から見た斜視図である。
【図４】図１に示したメダル貸し機に現金機設定部材が装着された状態を示す図である。
【図５】本実施例１に係るメダル貸し機の内部構成を示す機能ブロック図である。
【図６】図１に示したメダル貸し機に現金機設定部材が装着された状態を示す図である。
【図７】本実施例２に係る現金機設定部材検出部の処理手順を示すフローチャートである。
【図８】本実施例３に係るメダル貸し機に現金機設定部材を装着する状況を示す背面側方から見た斜視図である。
【図９−１】本実施例３に係る現金機設定部材をＣＲ機接続用コネクタ部に装着した状態を示す説明図である。
【図９−２】ケーブルの端部に設けられたコネクタ部をＣＲ機接続用コネクタ部に装着した状態を示す説明図である。
【図１０】本実施例３に係るメダル貸し機の内部構成を示す機能ブロック図である。
【図１１】本実施例４に係る現金機設定部材を介してメダル貸し機単体でＣＲ機用Ｉ／Ｆ部に電力供給するメダル貸し機に現金機設定部材が装着される状態を示す図である。
【図１２】本実施例４に係る現金機設定部材を介してメダル貸し機単体でＣＲ機用Ｉ／Ｆ部に電力供給するメダル貸し機の内部構成を示す機能ブロック図である。
【図１３】現金機設定部材を介してメダル貸し機単体でＣＲ機用Ｉ／Ｆ部に電力供給するメダル貸し機に現金機設定部材が装着される状態を示す図である。
【図１４】現金機設定部材の装着状態検出処理に関する信号変換回路、制御回路、現金機設定部材検出部間の制御シーケンスを示す図である。
【図１５】現金機設定部材の装着状態検出処理に関する信号変換回路、制御回路、現金機設定部材検出部間の制御シーケンスを示す図である。
【図１６】島コントローラから現金機設定部材を介してＣＲ機用Ｉ／Ｆ部に電力供給が行われるメダル貸し機に現金機設定部材が装着される状態を示す図である。
【図１７】外部紙幣識別機から現金機設定部材を介してＣＲ機用Ｉ／Ｆ部に電力供給が行われるメダル貸し機に現金機設定部材が装着される状態を示す図である。
【図１８】分岐ハーネスにより分岐された電力供給線から現金機設定部材を介してＣＲ機用Ｉ／Ｆ部に電力供給が行われるメダル貸し機に現金機設定部材が装着される状態を示す図である。
【図１９】フレームのアース接続を利用するメダル貸し機に現金機設定部材が装着される状態を示す図である。
【図２０】フレームのアース接続を利用するメダル貸し機の内部構成を示す機能ブロック図である。
【符号の説明】
【０１４２】
１０  メダル貸し機
１０ａ  表示部
１０ｂ  操作部
１０ｃ  カード処理部
１０ｄ  メダル投出部
１０ｅ  紙幣処理部
１１  本体制御部
１２  ＣＲ機用Ｉ／Ｆ部
１２ａ  信号変換回路
１２ｂ  ＡＣ／ＤＣ変換回路
１３  絶縁層
１４  信号線
１５  電源部
１６  ジョイント部
１７  現金機設定部材検出部
１７Ｂ  現金機設定部材検出部
１８  ＣＲ機接続用コネクタ部
１９  認識用コネクタ部
２０  コネクタ部
２１  ケーブル
３０  ＣＲ機
４０  現金機設定部材
４１，４２  コネクタ部
５０  現金機設定部材
５１  現金機設定部材検出スイッチ
６０  メダル貸し機
６１  現金機設定部材検出部
６２  アース端子
７０  現金機設定部材
８０  メダル貸し機
８１  現金機設定部材検出部
８２  電力供給部
８３  電力供給用コネクタ部
９０  現金機設定部材
１１０  現金機設定部材
１１１  制御回路
１２１  島コントローラ
１２２  制御部
１２３  電力供給用コネクタ部
１３０  現金機設定部材
１４０  外部紙幣識別機
１４１  制御部
１４２  電力供給用コネクタ部
１５０  現金機設定部材
１６０  電力供給用コネクタ部
１７０  現金機設定部材
【図１】
2007195951.tif 000003
【図２】
2007195951.tif 000004
【図３】
2007195951.tif 000005
【図４】
2007195951.tif 000006
【図５】
2007195951.tif 000007
【図６】
2007195951.tif 000008
【図７】
2007195951.tif 000009
【図８】
2007195951.tif 000010
【図９−１】
2007195951.tif 000011
【図９−２】
2007195951.tif 000012
【図１０】
2007195951.tif 000013
【図１１】
2007195951.tif 000014
【図１２】
2007195951.tif 000015
【図１３】
2007195951.tif 000016
【図１４】
2007195951.tif 000017
【図１５】
2007195951.tif 000018
【図１６】
2007195951.tif 000019
【図１７】
2007195951.tif 000020
【図１８】
2007195951.tif 000021
【図１９】
2007195951.tif 000022
【図２０】
2007195951.tif 000023